(57)【特許請求の範囲】
【請求項１】
プロテクタ遮断器を収納した箱体と、
前記箱体に設けられた開口部と、
前記開口部を気密に塞ぐとともに、中央部を外周部よりも前記箱体の外側に突出させた段差付き蓋と、
前記外周部を前記箱体に締付け固定するボルトとを備え、
前記ボルトの頭を前記中央部の外側面よりも突出させないようにしたことを特徴とする金属閉鎖形スイッチギヤ。
【発明の詳細な説明】
【技術分野】
【０００１】
本発明は、金属閉鎖形スイッチギヤに係り、特にスポットネットワーク受変電設備のプロテクタ盤として用いられる金属閉鎖形スイッチギヤに関する。
【背景技術】
【０００２】
従来、この種のビル、工場などのスポットネットワーク受変電設備のプロテクタ盤として用いられる金属閉鎖形スイッチギヤは、ネットワーク変圧器と負荷間に設けられ、負荷の保護が行われる。そして、これらのネットワーク変圧器や金属閉鎖形スイッチギヤは、電気室の据付面積を縮小化するため、一体化されているものが知られている（例えば、特許文献１参照。）。
【特許文献１】実開平５−１１７０６号公報  （第６ページ、図１）
【発明の開示】
【発明が解決しようとする課題】
【０００３】
上記の従来の金属閉鎖形スイッチギヤにおいては、次のような問題がある。  
最近のスポットネットワーク受変電設備は、道路などに面したスペースの狭い地下孔に設置されることがある。また、地下孔に設置されるプロテクタ盤として用いられる金属閉鎖形スイッチギヤは、冠水にも耐え得るようにガスケットやOリングを用いた気密構造が採用される。
【０００４】
このため、金属閉鎖形スイッチギヤにおいては、箱体が気密構造であって、狭い地下孔に設置できるような外形形状が薄形のものが望まれていた。
【０００５】
本発明は上記問題を解決するためになされたもので、気密構造であって、外形形状が薄形の金属閉鎖形スイッチギヤを提供することを目的とする。
【課題を解決するための手段】
【０００６】
上記目的を達成するために、本実施形態の金属閉鎖形スイッチギヤは、プロテクタ遮断器を収納した箱体と、前記箱体に設けられた開口部と、前記開口部を気密に塞ぐとともに、中央部を外周部よりも前記箱体の外側に突出させた段差付き蓋と、前記外周部を前記箱体に締付け固定するボルトとを備え、前記ボルトの頭を前記中央部の外側面よりも突出させないようにしたことを特徴とする。
【発明の効果】
【０００７】
本発明によれば、箱体の開口部を、外周部よりも中央部が外側に突出した段差付き蓋で塞ぎ、外周部に取り付けるボルトの頭を中央部の外側面よりも突出させないようにしているので、段差付き蓋を取り付けた箱体の全体形状を薄形とすることができ、箱体内のスペースを広げることができる。
【発明を実施するための最良の形態】
【０００８】
以下、図面を参照して本発明の実施例を説明する。
【実施例１】
【０００９】
先ず、本発明の実施例１に係る金属閉鎖形スイッチギヤを図１乃至図３を参照して説明する。図１は、本発明の実施例１に係る金属閉鎖形スイッチギヤの構成を示す正面図、図２は、本発明の実施例１に係る金属閉鎖形スイッチギヤの構成を示す側面図、図３は、本発明の実施例１に係る金属閉鎖形スイッチギヤの気密構造を示す要部拡大断面図である。なお、金属閉鎖形スイッチギヤをスポットネットワーク受変電設備のプロテクタ盤を用いて説明する。
【００１０】
図１および図２に示すように、鋼板からなる箱体１内には、収納機器となる図示上段にプロテクタヒューズ２、図示中段にプロテクタ遮断器３、図示下段にネットワークリレー４および制御電源５が設けられている。なお、図１は、気密をするための図示しない蓋を取り外した状態である。
【００１１】
箱体１の図示上部には、ネットワーク変圧器側ブッシング６が気密に設けられ、接続導体７ａによりプロテクタ遮断器３の一方の主回路端子に接続されている。接続導体７ａには、計器用変流器８が接続されている。また、図示しない接続線により計器用変圧器９が接続されている。プロテクタ遮断器３の他方の主回路端子には、接続導体７ｂを介してプロテクタヒューズ２が接続され、箱体１の図示上部に気密に設けたネットワーク母線側ブッシング１０へ接続されている。
【００１２】
プロテクタ遮断器３が位置する箱体１の正面側と背面側には、それぞれ開口部１ａが設けられている。開口部１ａには、この開口部１ａを覆うような外周側の外周部１１ａと、外周部１１ａに気密に溶接された中央部１１ｂとからなる鋼板の段差付き蓋１１が設けられている。中央部１１ｂは、方形状、多角形状、円形状、楕円形状いずれでもよい。外周部１１ａには、Ｏリング１２が設けられ、ボルト１３で箱体１のボルト穴１ｂに締付け固定されている。
【００１３】
このような段差付き蓋１１は、図３に示すように、ボルト１３の頭の高さをｈとし、中央部１１ｂの板厚さをｔ１とすると、ｈ≦ｔ１となっている。ここで、ボルト１３の頭の高さｈとは、ボルト１３でワッシャや座金を締付けたときの、ボルト１３の頭、ワッシャ、座金を含んだ高さとする。ワッシャ、座金は、適宜、用いるものとする。
【００１４】
なお、制御電源５が位置する箱体１の開口部も上述した段差付き蓋１１で塞がれている。また、箱体１外の図示上部には、プロテクタ遮断器３などを制御する制御用プラグ１４が気密に取り付けられている。同様に、検相用プラグ１５も気密に取り付けられている。ネットワーク変圧器側ブッシング６とネットワーク母線側ブッシング１０には、保護カバー１６が取り付けられている。
【００１５】
これにより、ボルト１３の頭は中央部１１ｂの外側面よりも突出することなく、箱体１の開口部１ａを段差付き蓋１１で塞いだ状態において全体形状（奥行き方向）を薄形とすることができる。一般的に、箱体１を薄形としてもボルト１３の頭が突出していると、見かけ上は薄形でも、突出したボルト１３の頭の高さを含んだ寸法が実質的な大きさとなる。なお、地下孔では、搬出入する開口部の大きさに制約があり、段差付き蓋１１の外周部１１ａに取り付けるボルト１３の頭を中央部１１ｂの外側面よりも突出しないようにすることにより、ボルト１３の頭が開口部端に引っかかることなく、搬出入作業を容易とすることができる。
【００１６】
更には、箱体１内では、外周部１１ａの板厚さｔ２に相当する寸法分だけ正面側および背面側でスペースがそれぞれ広がることになる。箱体１の奥行きを５０ｍｍ程度、外周部１１ａと中央部１１ｂの板厚さを１０ｍｍ程度とすると、スペースを約２０％広げることができる。中央部１１ｂと対向する部分には、収納機器のなかで最も大型となるプロテクタ遮断器３を位置させているので、収納し易くなるとともに、主回路と対地間の絶縁距離を容易に確保することができるようになる。また、電源装置５においても、箱体１内のスペースの確保ができる。
【００１７】
上記実施例１の金属閉鎖形スイッチギヤによれば、箱体１の開口部１ａを外周部１１ａよりも中央部１１ｂが外側に突出した段差付き蓋１１で塞ぎ、この段差付き蓋１１をボルト１３の頭が中央部１１ｂの外側面よりも突出しないように締付け固定しているので、段差付き蓋１１を取り付けた箱体１の全体形状を薄形とすることができ、箱体１内のスペースを広げることができる。
【実施例２】
【００１８】
次に、本発明の実施例２に係る金属閉鎖形スイッチギヤを図４を参照して説明する。図４は、本発明の実施例２に係る金属閉鎖形スイッチギヤの気密構造を示す要部拡大断面図である。なお、実施例２が実施例１と異なる点は、段差付き蓋の製作方法である。図４において、実施例１と同様の構成部分においては、同一符号を付し、その詳細な説明を省略する。
【００１９】
図４に示すように、鋼板の段差付き蓋１７は、外周部１７ａよりも中央部１７ｂをプレスなどの工作機械を用いて箱体１の外側に突出するように加工している。このため、段差付き蓋１７は、一枚の鋼板から製作することができる。
【００２０】
上記実施例２の金属閉鎖形スイッチギヤによれば、実施例１による効果のほかに、段差付き蓋１７の製作に実施例１のような溶接作業が不要になる。
【００２１】
なお、本発明は、上記実施例に限定されるものではなく、発明の要旨を逸脱しない範囲で、種々変形して実施することができる。上記実施例では、金属閉鎖形スイッチギヤをプロテクタ盤で説明したが、気密構造を採用する各種の金属閉鎖形スイッチギヤにおいて用いることができる。
【図面の簡単な説明】
【００２２】
【図１】本発明の実施例１に係る金属閉鎖形スイッチギヤの構成を示す正面図。
【図２】本発明の実施例１に係る金属閉鎖形スイッチギヤの構成を示す側面図。
【図３】本発明の実施例１に係る金属閉鎖形スイッチギヤの気密構造を示す要部拡大断面図。
【図４】本発明の実施例２に係る金属閉鎖形スイッチギヤの気密構造を示す要部拡大断面図。
【符号の説明】
【００２３】
１  箱体
１ａ  開口部
１ｂ  ボルト穴
２  プロテクタヒューズ
３  プロテクタ遮断器
４  ネットワークリレー
５  制御電源
６  ネットワーク変圧器側ブッシング
７ａ、７ｂ  接続導体
８  計器用変流器
９  計器用変圧器
１０  ネットワーク母線側ブッシング
１１、１７  段差付き蓋
１１ａ、１７ａ  外周部
１１ｂ、１７ｂ  中央部
１２  Ｏリング
１３  ボルト
１４  制御用プラグ
１５  検相用プラグ
１６  保護カバー
【図１】
0004679353.tif 000002
【図２】
0004679353.tif 000003
【図３】
0004679353.tif 000004
【図４】
0004679353.tif 000005